(57)【要約】【課題】車両ボディから車両用トリムを取り外すことなく、車両用トリムにオーナメントを着脱自在に取り付けることができるオーナメント取付構造を提供する。【解決手段】車両用トリム１（ドアトリム又はクォータトリム）にオーナメント１０を取り付けるオーナメント取付構造であって、オーナメント１０は車両室内側となる一面側に意匠面を備える板状体であり、車両用トリム１には、オーナメント１０を面方向に挿入可能な開口部５と、オーナメント１０を所定の取付位置に案内する溝付きガイドレールと、意匠面を車両室内側に露出させる開放部７とが設けられており、溝付きガイドレールはオーナメント１０の挿入方向に直交する面方向側の少なくとも一端における外縁部１１ａ又は１１ｃを係合支持し、オーナメント１０は溝付きガイドレールに沿ってスライド移動させることによって、開口部５を介して、車両用トリム１に着脱自在に取り付けられている。【選択図】図１
2018083600.tif 000002
【特許請求の範囲】
【請求項１】
車両用トリムにオーナメントを取り付けるオーナメント取付構造であって、
前記車両用トリムは、ドアトリム又はクォータトリムであり、
前記オーナメントは、車両室内側となる一面側に意匠面を備える板状体であり、
前記車両用トリムには、
前記オーナメントを面方向に挿入可能な開口部と、
前記開口部に挿入される前記オーナメントを所定の取付位置に案内する溝付きガイドレールと、
前記オーナメントの意匠面を車両室内側に露出させる開放部と、が設けられており、
前記溝付きガイドレールは、前記オーナメントの挿入方向に直交する面方向側の少なくとも一端における外縁部を係合支持し、
前記オーナメントは、前記溝付きガイドレールに沿ってスライド移動させることによって、前記開口部を介して、前記車両用トリムに着脱自在に取り付けられていることを特徴とするオーナメント取付構造。
【請求項２】
前記溝付きガイドレールは、前記オーナメントの挿入方向に直交する面方向側の両端における外縁部を係合支持する請求項１に記載のオーナメント取付構造。
【請求項３】
前記溝付きガイドレールは、前記オーナメントの挿入方向側の外縁部を係合支持する請求項１又は２に記載のオーナメント取付構造。
【請求項４】
前記オーナメントの挿入方向側における前記外縁部の他面側には、固定用リブが形成されており、
前記溝付きガイドレールは、前記固定用リブの形成された前記外縁部を嵌合支持する請求項３に記載のオーナメント取付構造。
【発明の詳細な説明】
【技術分野】
【０００１】
本発明は、オーナメント取付構造に関する。更に詳しくは、車両ボディから車両用トリムを取り外すことなく、車両用トリムにオーナメントを着脱自在に取り付けることができるオーナメント取付構造に関する。
【背景技術】
【０００２】
乗用車等の車両においては、車両室内側の高級感を向上させるために、ドアトリムなどに、織物や皮革からなる表皮層（意匠層）を備える板状のオーナメントが内装材として配設されている。
図１２及び図１３に示すように、従来、このようなオーナメント１１０は、アッパートリム１０２、ロアボード１０３及びアームレスト１０４等の一般的な構成部品を備えるドアトリム１００に対して、車両室外側において、アッパートリム１０２等の上記構成部品の一部に溶着されたり、ビスで締結されたりすることによって取り付けられている。
しかしながら、このような取付構造である場合、オーナメントの組み付けや交換作業の際には、ドアトリムを車両ボディから取り外す必要があり、上記作業の際には長時間を要するという問題があるため、より簡便な取付構造が求められている。
【０００３】
また、ドアトリムを車両ボディから取り外す必要のないオーナメントの取付構造としては、例えば、嵌合爪が設けられたオーナメントを、車両室内側からドアトリムに設けられた嵌合穴に嵌め込んで固定するタイプの取付構造が知られている（特許文献１参照）。
しかしながら、嵌め込み式の取付構造である場合、乗員が誤って走行中に車両室内側からオーナメントを取り外してしまう可能性があり、安全面において問題がある。
【先行技術文献】
【特許文献】
【０００４】
【特許文献１】特開２０１５−８９７４９号公報
【発明の概要】
【発明が解決しようとする課題】
【０００５】
本発明は上記実情に鑑みてなされたものであり、車両ボディから車両用トリムを取り外すことなく、車両用トリムにオーナメントを着脱自在に取り付けることができるオーナメント取付構造を提供することを課題とする。
【課題を解決するための手段】
【０００６】
上記問題を解決するために、請求項１に記載の発明は、車両用トリムにオーナメントを取り付けるオーナメント取付構造であって、
前記車両用トリムは、ドアトリム又はクォータトリムであり、
前記オーナメントは、車両室内側となる一面側に意匠面を備える板状体であり、
前記車両用トリムには、
前記オーナメントを面方向に挿入可能な開口部と、
前記開口部に挿入される前記オーナメントを所定の取付位置に案内する溝付きガイドレールと、
前記オーナメントの意匠面を車両室内側に露出させる開放部と、が設けられており、
前記溝付きガイドレールは、前記オーナメントの挿入方向に直交する面方向側の少なくとも一端における外縁部を係合支持し、
前記オーナメントは、前記溝付きガイドレールに沿ってスライド移動させることによって、前記開口部を介して、前記車両用トリムに着脱自在に取り付けられていることを要旨とする。
請求項２に記載の発明は、請求項１に記載の発明において、前記溝付きガイドレールは、前記オーナメントの挿入方向に直交する面方向側の両端における外縁部を係合支持することを要旨とする。
請求項３に記載の発明は、請求項１又は２に記載の発明において、前記溝付きガイドレールは、前記オーナメントの挿入方向側の外縁部を係合支持することを要旨とする。
請求項４に記載の発明は、請求項３に記載の発明において、前記オーナメントの挿入方向側における前記外縁部の他面側には、固定用リブが形成されており、
前記溝付きガイドレールは、前記固定用リブの形成された前記外縁部を嵌合支持することを要旨とする。
【発明の効果】
【０００７】
本発明のオーナメント取付構造によれば、オーナメントを溝付きガイドレールに沿って面方向にスライド移動させることにより、開口部を介して、車両用トリムに着脱自在に取り付けることができる。そのため、ビスや溶着による車両用トリムへの締結が不要となり、車両ボディから車両用トリムを取り外すことなく、オーナメントの着脱を行うことができる。その結果、車両用トリムに対するオーナメントの着脱に要する作業時間を従来よりも大幅に短縮することができるとともに、構成部品にかかるコストを削減することができる。また、車両ボディから車両用トリムを取り外す工程が不要となるため、その工程に起因する車両ボディの変形や損傷等の不具合の発生を防止できる。更に、車両室内側からはオーナメントを容易に取り外すことができない構造であるため、乗員が誤ってオーナメントを取り外してしまうこともない。
また、溝付きガイドレールが、オーナメントの挿入方向に直交する面方向側の両端における外縁部を係合支持する場合には、オーナメントを溝付きガイドレールに沿ってスムーズにスライド移動させることができ、着脱時の作業性をより向上させることができる。
更に、溝付きガイドレールが、オーナメントの挿入方向側の外縁部を係合支持する場合には、オーナメントを溝付きガイドレールに沿って、所定の取付位置により確実に案内することができる。
また、オーナメントの挿入方向側における外縁部の他面側に固定用リブが形成されており、溝付きガイドレールが固定用リブの形成された外縁部を嵌合支持する場合には、オーナメントがしっかり固定され、振動等によるオーナメントの面方向や厚み方向へのズレを十分に防止することができる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】ドアトリムへのオーナメントの取付構造を説明するための模式図である。
【図２】図１におけるドアトリムの後端側を説明するための模式図である。
【図３】図１におけるオーナメントのＡ−Ａ線断面を説明するための模式図である。
【図４】オーナメントが取り付けられた状態のドアトリムを説明するための模式的な模式図である。
【図５】図４におけるドアトリムの後端側を説明するための模式図である。
【図６】オーナメントの構成を説明するための模式図である。
【図７】図５におけるドアトリムの後端側の一部を拡大した模式図である。
【図８】図４におけるＢ−Ｂ線断面を説明するための模式図である。
【図９】オーナメント取付構造を説明するための模式図である。
【図１０】他の形態のオーナメント取付構造を説明するための模式図である。
【図１１】図１０におけるドアトリムの後端側を説明するための模式図である。
【図１２】従来のオーナメントの車両用トリムへの取付構造を説明するための模式図である。
【図１３】図１２におけるＸ−Ｘ線断面を説明するための模式図である。
【発明を実施するための形態】
【０００９】
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
本実施形態に係るオーナメント取付構造は、車両用トリム（１）にオーナメント（１０）を取り付けるオーナメント取付構造であって、車両用トリム（１）は、ドアトリム又はクォータトリムであり、オーナメント（１０）は、車両室内側となる一面側に意匠面を備える板状体である。また、車両用トリム（１）には、オーナメント（１０）を面方向に挿入可能な開口部（５）と、開口部（５）に挿入されるオーナメント（１０）を所定の取付位置に案内する溝付きガイドレール（６）と、オーナメント（１０）の意匠面を車両室内側に露出させる開放部（７）と、が設けられている。そして、溝付きガイドレール（６）はオーナメント（１０）の挿入方向に直交する面方向側の少なくとも一端における外縁部（１１（１１ａ、１１ｃ））を係合支持し、オーナメント（１０）は溝付きガイドレール（６）に沿ってスライド移動させることによって、開口部（５）を介して、車両用トリム（１）に着脱自在に取り付けられている。
【００１１】
上述の形態の場合、例えば、溝付きガイドレール（６）の溝部には、オーナメント（１０）の厚み方向及び面方向に対して、それぞれ、所定のクリアランスが設けられている形態を挙げることができる（図７参照）。これにより、オーナメント（１０）を溝付きガイドレール（６）に沿ってスムーズにスライド移動させることができ、着脱時の作業性をより向上させることができる。
【００１２】
本実施形態に係るオーナメント取付構造としては、例えば、溝付きガイドレール（６）は、オーナメント（１０）の挿入方向に直交する面方向側の両端における外縁部（１１（１１ａ、１１ｃ））を係合支持する形態を挙げることができる。
【００１３】
本実施形態に係るオーナメント取付構造としては、例えば、溝付きガイドレール（６）は、オーナメント（１０）の挿入方向側の外縁部（１１（１１ｂ））を係合支持する形態を挙げることができる。
【００１４】
本実施形態に係るオーナメント取付構造としては、例えば、オーナメント（１０）の挿入方向側（挿入方向の先端側）における外縁部（１１（１１ｂ））の他面側には、固定用リブ（１４）が形成されており、溝付きガイドレール（６）は、固定用リブ（１４）の形成された外縁部（１１（１１ｂ））を嵌合支持する形態を挙げることができる（図６及び図８参照）。
尚、オーナメント（１０）のスムーズなスライド移動を妨げないように、上記固定用リブ（１４）は、通常、オーナメント（１０）の挿入方向に直交する面方向側の両端における外縁部（１１（１１ａ、１１ｃ））を係合支持する溝付きガイドレール（６）の溝部とは接触しない位置に形成される。
【００１５】
上述の形態の場合、例えば、固定用リブ（１４）には、テーパが設けられている形態を挙げることができる。これにより、固定用リブ（１４）の形成された外縁部（１１（１１ｂ））を溝付きガイドレール（６）の溝部に、よりスムーズに嵌合させることができる。
【００１６】
本実施形態に係るオーナメント取付構造としては、例えば、オーナメント（１０）の挿入方向に直交する面方向側の少なくとも一端であり、且つ挿入方向の後端側となる外縁部（１１（１１ｄ））の他面側には、固定用リブ（１６）が形成されており、固定用リブ（１６）が形成された外縁部（１１（１１ｄ））が、溝付きガイドレール（６）の溝部に嵌合することにより、オーナメント（１０）が車両用トリム（１）に固定される形態が挙げられる（図１０及び図１１参照）。これにより、オーナメント（１０）がしっかり固定され、振動等によるオーナメント（１０）の面方向や厚み方向へのズレを十分に防止することができる。
【００１７】
上述の形態の場合、例えば、上記固定用リブ（１６）には、テーパが設けられているものとすることができる。これにより、固定用リブ（１６）の形成された外縁部（１１（１１ｄ））を、溝付きガイドレール（６）によりスムーズに嵌合させることができる。
【００１８】
本実施形態に係るオーナメント取付構造としては、例えば、上記開口部（５）を被覆する後端カバー（１５）を更に備える形態を挙げることができる（図９参照）。これにより、オーナメント（１０）の挿入方向に対する後端側の外縁部（１１（１１ｄ））及び開口部（５）を十分に保護することができるとともに、オーナメント（１０）の不用意なスライド移動を防止することができる。
【００１９】
尚、上記実施形態で記載した各構成の括弧内の符号は、後述する実施例に記載の具体的構成との対応関係を示すものである。
【実施例】
【００２０】
以下、図面を用いて実施例により本発明を具体的に説明する。
【００２１】
［１］オーナメント取付構造
本実施例に係るオーナメント取付構造として、アッパートリム２、ロアボード３及びアームレスト４を備えるドアトリム１（車両用トリム）に、オーナメント１０を取り付ける取付構造を例示する（図１〜図９参照）。
【００２２】
上記ドアトリム１は、図１及び図２に示すように、オーナメント１０を車両の前方側となる面方向に挿入可能な開口部５と、この開口部５に挿入されるオーナメント１０を所定の取付位置に案内する溝付きガイドレール６と、オーナメント１０の意匠面における所定領域を車両室内側に露出させる開放部７と、を備えている。
上記溝付きガイドレール６は、図２に示すように、車両室外側において、オーナメント１０の外周形状に合わせて連続的に形成されており、その溝部によって、オーナメント１０の挿入方向に直交する面方向側（車両の上下方向側）の両端の外縁部１１ａ、１１ｃ、（図１参照）及び挿入方向側（車両の前方側）の外縁部１１ｂ（図１参照）を係合支持することができるように配設されている。また、この溝付きガイドレール６における溝部には、図７に示すように、オーナメント１０の厚み方向及び面方向に対して、それぞれ、所定のクリアランスが設けられている。
上記開口部５は、図２に示すように、車両の後方側となるドアトリム１の後端部において、車両の上下方向側の溝付きガイドレール６の開放端６ａ、６ｂによって構成されている。
【００２３】
上記オーナメント１０は、図３及び図６に示すように、板状の基材本体１２と、基材本体１２の一面側（意匠面側）に配設された表皮層１３（側面発光型の光ファイバーが構成糸の一部として織り込まれた織布）と、基材本体１２の他面側における開口部５への挿入方向側（車両の前方側）に配設されたテーパを有する固定用リブ１４と、を備えている。
【００２４】
そして、図４、図５及び図８に示すように、本実施例のオーナメント取付構造では、ドアトリム１における開口部５にオーナメント１０が面方向に挿入された後、溝付きガイドレール６に沿って所定の取付位置までスライド移動されるとともに、固定用リブ１４が形成されている先端側の外縁部１１ｂを溝付きガイドレール６の溝部に嵌合されることによって、オーナメント１０がドアトリム１に着脱自在に取り付けられている。更に、オーナメント１０の後端側（車両の後方側）は、図９に示すように、着脱自在の後端カバー１５が取り付けられ、開口部５とともに被覆されている。
【００２５】
［２］実施例の作用効果
本実施例のオーナメント取付構造によると、ドアトリム１へのビスや溶着による締結が不要となり、車両ボディからドアトリム１を取り外すことなく、ドアトリム１に対するオーナメント１０の着脱を容易に行うことができる。そのため、表皮層１３における光ファイバーが断線したり、表皮層の色調やデザインを変更したりする場合におけるオーナメント１０の交換時や、オーナメント１０の組み付け時に要する作業時間を、従来の締結を要する取付形態よりも大幅に短縮することができる。更には、オーナメント１０の取り付けに関する構成部品にかかるコストを削減することができる。また、オーナメント１０の着脱の際に、車両ボディからドアトリム１を取り外す工程が不要となるため、その工程に起因する車両ボディの変形や損傷等の不具合の発生を防止することができる。更に、オーナメント１０は溝付きガイドレール６の溝部に係合支持又は嵌合支持されており、開放部７を介して車両室内側からはオーナメント１０を取り外すことができない構造となっているため、乗員が誤ってオーナメント１０を取り外してしまうこともなく安全である。
【００２６】
また、本実施例のオーナメント取付構造では、溝付きガイドレール６における溝部に、オーナメント１０の厚み方向及び面方向に対して、それぞれ、所定のクリアランスが設けられているため（図７参照）、オーナメント１０を溝付きガイドレール６に沿ってスムーズにスライド移動させることができ、着脱時の作業性を向上させることができる。
【００２７】
また、本実施例のオーナメント取付構造では、溝付きガイドレール６の溝部によって、オーナメント１０の挿入方向に直交する面方向側（車両の上下方向側）の両端における外縁部１１ａ、１１ｃが係合支持されるため、オーナメント１０を溝付きガイドレール６に沿ってスムーズにスライド移動させることができ、着脱時の作業性を向上させることができる。
【００２８】
また、本実施例のオーナメント取付構造では、溝付きガイドレール６の溝部によって、オーナメント１０の挿入方向側（車両の前方側）の外縁部１１ｂが係合支持されるため、オーナメント１０を溝付きガイドレール６に沿って、所定の取付位置に確実に取り付けることができる。
【００２９】
また、本実施例のオーナメント取付構造では、オーナメント１０の他面側に固定用リブ１４が配設されているため、この固定用リブ１４が形成された外縁部１１ｂが溝付きガイドレール６の溝部に嵌合することで、オーナメント１０がドアトリム１にしっかりと固定でき、振動等による面方向や厚み方向へのズレを十分に防止することができる（図６及び図８参照）。更には、固定用リブ１４にはテーパが設けられているため、溝付きガイドレール６の溝部にスムーズに嵌合させることができる（図６参照）。
【００３０】
また、本実施例のオーナメント取付構造では、オーナメント１０の後端側（車両の後方側）に、着脱自在の後端カバー１５が取り付けられ、開口部５とともに被覆されているため、開口部５及びオーナメント１０の後端部を十分に保護することができる（図９参照）。更には、オーナメント１０の不用意なスライド移動を防止することができる。
【００３１】
尚、本発明においては、上記実施例に限られず、目的、用途に応じて本発明の範囲内で種々変更した実施例とすることができる。即ち、上記実施例では、オーナメント１０の先端側（挿入側）における他面側に固定用リブ１４を配設し、溝付きガイドレール６の溝部に嵌合支持されるようにした取付構造を例示したが、これに限定されず、例えば、図１０及び図１１に示すように、オーナメント１０の挿入方向に直交する面方向側（車両の上下方向側）の少なくとも一端であり、且つ挿入方向の後端側となる外縁部１１ｄの他面側に固定用リブ１６を配設し、オーナメント１０の少なくとも後端側において、溝付きガイドレール６の溝部に嵌合支持されるようにしてもよい。更に、この場合、固定用リブ１６には、溝部への嵌合をよりスムーズに行うため、テーパを形成してもよい。
【００３２】
また、上記実施例では、オーナメント１０の外周形状に合わせて、ドアトリム１に溝付きガイドレール６が連続的に形成された取付構造を例示したが、これに限定されず、例えば、オーナメントの外周形状の一部に合わせて、溝付きガイドレールが部分的に形成された取付構造としてもよい。
【００３３】
更に、上記実施例では、表皮層１３として側面発光型の光ファイバーを備える織布が配設されたオーナメント１０の取付構造を例示したが、これに限定されず、例えば、ファブリック、皮革、樹脂シート等の一般的な表皮材が用いられているオーナメントの取付構造としてもよい。
【００３４】
前述の記載は単に説明を目的とするものでしかなく、本発明を限定するものと解釈されるものではない。本発明を典型的な実施形態を挙げて説明したが、本発明の記述及び図示において使用された文言は、限定的な文言ではなく、説明的および例示的なものであると理解される。ここで詳述したように、その形態において本発明の範囲又は精神から逸脱することなく、添付の特許請求の範囲内で変更が可能である。ここでは、本発明の詳述に特定の構造、材料及び実施形態を参照したが、本発明をここにおける開示事項に限定することを意図するものではなく、寧ろ、本発明は添付の特許請求の範囲内における、機能的に同等の構造、方法、使用の全てに及ぶものとする。
【００３５】
本発明は上記で詳述した実施形態に限定されず、本発明の請求項に示した範囲で様々な変形又は変更が可能である。
【産業上の利用可能性】
【００３６】
本発明は、車両用トリム（ドアトリム又はクォータトリム）にオーナメントを取り付けるオーナメント取付構造に関する技術として広く利用される。特に、乗用車、バス、トラック等の車両用トリムに、車両用トリムを車両ボディから取り外すことなく、オーナメントの着脱を可能とするオーナメント取付構造に関する技術として好適に利用される。
【符号の説明】
【００３７】
１；ドアトリム（車両用トリム）、２；アッパートリム、３；ロアボード、４；アームレスト、５；開口部、６；溝付きガイドレール、６ａ、６ｂ；開放端、７；開放部、１０；オーナメント、１１、１１ａ、１１ｂ、１１ｃ、１１ｄ；外縁部、１２；基材本体、１３；表皮層、１４；固定用リブ、１５；後端カバー、１６；固定用リブ、１００；ドアトリム、１１０；オーナメント、１０２；アッパートリム、１０３；ロアボード、１０４；アームレスト。
【図１】
2018083600.tif 000003
【図２】
2018083600.tif 000004
【図３】
2018083600.tif 000005
【図４】
2018083600.tif 000006
【図５】
2018083600.tif 000007
【図６】
2018083600.tif 000008
【図７】
2018083600.tif 000009
【図８】
2018083600.tif 000010
【図９】
2018083600.tif 000011
【図１０】
2018083600.tif 000012
【図１１】
2018083600.tif 000013
【図１２】
2018083600.tif 000014
【図１３】
2018083600.tif 000015